(57)【要約】【課題】  腕時計のように煩わしさを感じることなく腕に装着できると共に、ヘッドセットとしても使用すること。【解決手段】  本体２と、本体２に基端側が取り付けられて腕に装着可能なバンド３と、本体２に対してバンド３の取付状態又はバンド自体の形状の変形が可能なバンド変形手段と、本体２に設けられて音声を出力するスピーカを有する音声出力手段とを備え、バンド変形手段が、耳の耳介に引っ掛けて保持可能な状態にバンド３を変形可能とされ、スピーカが、バンド３を耳介に引っ掛けた状態で耳の外耳道に対向する位置に本体２に配されている携帯用電子機器１を提供する。【選択図】  図１１
2005191766.tif 000002
【特許請求の範囲】
【請求項１】
本体と、
該本体に基端側が取り付けられて腕に装着可能なバンドと、
前記本体に対して前記バンドの取付状態又はバンド自体の形状の変形が可能なバンド変形手段と、
前記本体に設けられて音声を出力するスピーカを有する音声出力手段とを備え、
前記バンド変形手段が、耳の耳介に引っ掛けて保持可能な状態に前記バンドを変形可能とされ、
前記スピーカが、バンドを耳介に引っ掛けた状態で耳の外耳道に対向する位置に前記本体に配されていることを特徴とする携帯用電子機器。
【請求項２】
請求項１に記載の携帯用電子機器において、
前記本体又は前記バンドが、複数のスイッチを備え、
これらの前記スイッチのうちの１つは、前記音声出力手段を制御することを特徴とする携帯用電子機器。
【請求項３】
請求項２に記載の携帯用電子機器において、
前記本体の表面に前記音声出力手段の出力情報を表示する表示部を備えていることを特徴とする携帯用電子機器。
【請求項４】
請求項３に記載の携帯用電子機器において、
前記表示部が、時刻表示機能を有していることを特徴とする携帯用電子機器。  
【請求項５】
請求項２から４のいずれか１項に記載の携帯用電子機器において、
前記複数のスイッチの１つをオンしたときに、前記音声出力手段が時刻を音声出力するよう設定されていることを特徴とする携帯用電子機器。
【請求項６】
請求項１から５のいずれか１項に記載の携帯用電子機器において、
前記バンド変形手段は、前記バンドを耳介に引っ掛けるように変形させたときに、前記音声出力手段を音声出力可能な状態に設定することを特徴とする携帯用電子機器。
【請求項７】
請求項１から６のいずれか１項に記載の携帯用電子機器において、
前記バンドが、断面略円状に形成され、
前記バンド変形手段が、前記本体に設けられて前記バンドの基端側を挿入可能とされる挿入孔と、基端側を挿入孔の内部に向けて付勢する付勢手段と、挿入孔内に設けられて基端側の端面に離間接触可能な接触面を有する固定部材とを備え、
前記端面及び前記接触面には、それぞれ接触した際に嵌合して回転方向の動きを規制する凹凸部が形成されていることを特徴とする携帯用電子機器。
【請求項８】
請求項１から７のいずれか１項に記載の携帯用電子機器において、
前記バンドが、折曲変形可能な弾性材料により形成されていることを特徴とする携帯用電子機器。
【請求項９】
請求項１から８のいずれか１項に記載の携帯用電子機器において、
前記本体には、前記バンドを耳介に引っ掛けたときに、耳介に接触する位置に弾性を有するパッド部材が設けられていることを特徴とする携帯用電子機器。
【請求項１０】
請求項９に記載の携帯用電子機器において、  
前記パッド部材が、前記スピーカを囲むように配されていることを特徴とする携帯用電子機器。
【請求項１１】
請求項１から１０のいずれか１項に記載の携帯用電子機器において、
コードを介して前記音声出力手段に電気的に接続されたイヤホンを備え、
前記音声出力手段が、前記スピーカ及び前記イヤホンから発生させる出力音をそれぞれ調整するステレオ音量調整部を有していることを特徴とする携帯用電子機器。
【請求項１２】
請求項１から１１のいずれか１項に記載の携帯用電子機器において、
前記本体に、他の電子機器との間で音声情報を受け渡す外部接続手段と、音声情報を記録するメモリとを備え、
前記音声出力手段が、前記メモリに記録された音声情報を音声出力することを特徴とする携帯用電子機器。
【請求項１３】
請求項１２に記載の携帯用電子機器において、
前記外部接続手段が、通信用ケーブルを接続可能なケーブル接続部を有していることを特徴とする携帯用電子機器。
【請求項１４】
請求項１２又は１３に記載の携帯用電子機器において、
前記外部接続手段が、前記他の電子機器との間で無線通信可能な無線通信手段を有していることを特徴とする携帯用電子機器。
【請求項１５】
請求項１２から１４のいずれか１項に記載の携帯用電子機器において、
前記外部接続手段が、メモリカードを接続可能なカード接続部を有していることを特徴とする携帯用電子機器。
【請求項１６】
請求項１から１５のいずれか１項に記載の携帯用電子機器において、
前記本体に、音声放送波を受信する電波受信部を備え、
前記音声出力手段が、前記音声放送波に基づいて音声出力することを特徴とする携帯用電子機器。
【請求項１７】
請求項１から１６のいずれか１項に記載の携帯用電子機器において、
前記本体に、充電可能な充電池と、該充電池に電力を充電する充電手段とを有していることを特徴とする携帯用電子機器。
【発明の詳細な説明】
【技術分野】
【０００１】
本発明は、腕又は耳（耳介）に装着可能な携帯用電子機器に関するものである。
【背景技術】
【０００２】
現在、体の一部に装着して使用する携帯用電子機器は、様々なものが知られている。例えば、腕に装着して使用する電子腕時計や、耳に引っ掛けるように装着するヘッドセット（例えば、特許文献１、２及び３参照）等が知られている。
このような携帯用電子機器のうち、特に電子腕時計は、装着時の日常生活に対する影響が低く、また頻繁に時刻を確認するという生活スタイルにより、使用時又は未使用時に係わらず終日（例えば、朝装着してから夜外すまでの間）腕に装着しているのが一般的な使われ方である。
一方、上記ヘッドセット等の携帯用電子機器は、装着時に耳を塞いでしまうので、使用時にのみ装着して使用している。
【特許文献１】特開２０００−３２４５８７号公報（図１等）
【特許文献２】特開２００１−３４６２８７号公報（図１等）
【特許文献３】特開２００３−４７０８３号公報（図１等）
【発明の開示】
【発明が解決しようとする課題】
【０００３】
しかしながら、上記ヘッドセット等の使用時に体に装着する携帯用電子機器は、バック等に入れて共に持ち歩く必要があるので、煩わしさがあった。特に、ヘッドセット等は、電車等公共機関での移動や、歩行の際に容易に使用でき、また、日常生活の中でも使用頻度が高いため、常に持ち歩いている人がいるのが現状である。そのため、未使用時においても、バック等のヘッドセットを収納するものを持ち運ぶ必要があり、煩わしさを感じることがあった。
【０００４】
本発明は、このような事情に考慮してなされたもので、その目的は、腕時計のように煩わしさを感じることなく腕に装着できると共に、ヘッドセットとしても使用することができる携帯用電子機器を提供することである。
【課題を解決するための手段】
【０００５】
本発明は、前記課題を解決するために以下の手段を提供する。
本発明の携帯用電子機器は、本体と、該本体に基端側が取り付けられて腕に装着可能なバンドと、前記本体に対して前記バンドの取付状態又はバンド自体の形状の変形が可能なバンド変形手段と、前記本体に設けられて音声を出力するスピーカを有する音声出力手段とを備え、前記バンド変形手段が、耳の耳介に引っ掛けて保持可能な状態に前記バンドを変形可能とされ、前記スピーカが、バンドを耳介に引っ掛けた状態で耳の外耳道に対向する位置に前記本体に配されていることを特徴とするものである。
【０００６】
この発明に係る携帯用電子機器においては、バンドを介して本体を腕に装着している状態から、バンド変形手段により、バンドの取付状態又はバンド自体の形状を変形させてバンドを耳の耳介に引っ掛けることができる。この際、本体のスピーカが外耳道に対向する位置に配されているので、音声出力手段により音声を聞くことができる。従って、本体を腕に装着した状態から、バンドを介して容易に耳に装着することができ、ヘッドセットとしても使用することができる。
【０００７】
また、本発明の携帯用電子機器は、上記本発明の携帯用電子機器において、前記本体又は前記バンドが、複数のスイッチを備え、これらの前記スイッチのうちの１つは、前記音声出力手段を制御することを特徴とするものである。
この発明に係る携帯用電子機器においては、スイッチを入れることで、音声出力手段を制御することができ、腕又は耳の装着に応じて適切な使い分けを行うことができる。また、スピーカから所望する曲等の音声情報を出力することができる。
【０００８】
また、本発明の携帯用電子機器は、上記本発明の携帯用電子機器において、前記本体の表面に前記音声出力手段の出力情報を表示する表示部を備えていることを特徴とするものである。  
この発明に係る携帯用電子機器においては、表示部に表示された出力情報を確認することで、間違えることなく確実に音声出力手段の制御を行うことができる。従って、操作性の向上を図ることができる。
【０００９】
また、本発明の携帯用電子機器は、上記本発明の携帯用電子機器において、前記表示部が、時刻表示機能を有していることを特徴とするものである。
この発明に係る携帯用電子機器においては、本体を腕に装着したときに、腕時計のように使用することができる。
【００１０】
また、本発明の携帯用電子機器は、上記本発明のいずれかの携帯用電子機器において、前記複数のスイッチの１つをオンしたときに、前記音声出力手段が時刻を音声出力するよう設定されていることを特徴とするものである。
この発明に係る携帯用電子機器においては、本体を耳に装着した場合においても、時刻を容易に確認することができる。
【００１１】
また、本発明の携帯用電子機器は、上記本発明のいずれかの携帯用電子機器において、前記バンド変形手段は、前記バンドを耳介に引っ掛けるように変形させたときに、前記音声出力手段を音声出力可能な状態に設定することを特徴とするものである。
この発明に係る携帯用電子機器においては、本体を耳に装着してヘッドセットとして使用するために、耳介に引っ掛けるようにバンドを変形させたときに、バンド変形手段が音声出力手段を音声出力可能な状態、例えば、音声出力モードに設定を変更する。従って、特に他の操作を行うことなく、容易にヘッドセットとしてすぐに使用することができ、機能性の向上化を図ることができる。
【００１２】
また、本発明の携帯用電子機器は、上記本発明のいずれかの携帯用電子機器において、前記バンドが、断面略円状に形成され、前記バンド変形手段が、前記本体に設けられて前記バンドの基端側を挿入可能とされる挿入孔と、基端側を挿入孔の内部に向けて付勢する付勢手段と、挿入孔内に設けられて基端側の端面に離間接触可能な接触面を有する固定部材とを備え、前記端面及び前記接触面には、それぞれ接触した際に嵌合して回転方向の動きを規制する凹凸部が形成されていることを特徴とするものである。
この発明に係る携帯用電子機器においては、バンドの基端側を挿入孔の外部、即ち本体の外部に向けて付勢手段に抗する力で引っ張ると、バンドの基端側の端面が固定部材の接触面から離間する。この状態で、バンドを軸回りに回転させることで、本体に対するバンドの取付状態の変更が行える。また、取付状態の変更後、バンドの基端側を離すと、該バンドは付勢手段により挿入孔内部に向けて付勢され、基端側端面が固定部材の接触部材に接触すると共に、凹凸部によって互いが嵌合する。これにより、バンドの回転が規制される。このように、バンド変形手段は、バンドの取付状態を軸回りに回転させることで、容易に変更することができると共に、変更した角度で保持することができる。従って、腕や耳に装着する際、それぞれの形状に応じた取付状態で装着を行うことができる。
【００１３】
また、本発明の携帯用電子機器は、上記本発明のいずれかの携帯用電子機器において、前記バンドが、折曲変形可能な弾性材料により形成されていることを特徴とするものである。
この発明に係る携帯用電子機器においては、バンドが折曲変形可能であるので、腕や耳に装着する際、微調整を行うことができる。従って、より耳介の形状等に応じた取付状態にでき、がたつき等をなくして、より確実に装着を行うことができる。
【００１４】
また、本発明の携帯用電子機器は、上記本発明のいずれかの携帯用電子機器において、前記本体には、前記バンドを耳介に引っ掛けたときに、耳介に接触する位置に弾性を有するパッド部材が設けられていることを特徴とするものである。
この発明に係る携帯用電子機器においては、本体を耳に装着したときに、本体と耳介との間にパッド部材が設けられているので、該パッド部材がクッションとなる。従って、本体と耳との間の干渉が低減され、装着感が向上すると共に耳への保護となる。
【００１５】
また、本発明の携帯用電子機器は、上記本発明の携帯用電子機器において、前記パッド部材が、前記スピーカを囲むように配されていることを特徴とするものである。
この発明に係る携帯用電子機器においては、本体を耳に装着したときに、パッド部材が、スピーカの周囲を囲むように本体と耳介との間の隙間を埋めるので、スピーカの音漏れを防止することができる。
【００１６】
また、本発明の携帯用電子機器は、上記本発明のいずれかの携帯用電子機器において、コードを介して前記音声出力手段に電気的に接続されたイヤホンを備え、前記音声出力手段が、前記スピーカ及び前記イヤホンから発生させる出力音をそれぞれ調整するステレオ音量調整部を有していることを特徴とするものである。
この発明に係る携帯用電子機器においては、本体を片側の耳に装着すると共にイヤホンを他方の耳に装着した状態で、音声出力手段がスピーカ及びイヤホンからステレオ音量調整部により調整された出力音を出力するので、ステレオ状態で音声を聞くことができる。
従って、機能性の向上化を図ることができる。
【００１７】
また、本発明の携帯用電子機器は、上記本発明のいずれかの携帯用電子機器において、前記本体に、他の電子機器との間で音声情報を受け渡す外部接続手段と、音声情報を記録するメモリとを備え、前記音声出力手段が、前記メモリに記録された音声情報を音声出力することを特徴とするものである。
この発明に係る携帯用電子機器においては、外部接続手段により他の電子機器から所望する音声情報を容易に入手でき、メモリに入手した音声情報の記録が逐次行える。また、音声出力手段により、メモリに記録した様々な音声情報の中から所望する音声情報の再生を行うことができる。このように、他の電子機器から所望する音声情報、例えば、好きな音楽等を入手して聞くことができる。
【００１８】
また、本発明の携帯用電子機器は、上記本発明の携帯用電子機器において、前記外部接続手段が、通信用ケーブルを接続可能なケーブル接続部を有していることを特徴とするものである。
この発明に係る携帯用電子機器においては、ケーブル接続部にＵＳＢケーブル等の通信用ケーブルを接続することで、パーソナルコンピュータ等の他の電子機器から曲等の音声情報を入手したり、記録することができる。
【００１９】
また、本発明の携帯用電子機器は、上記本発明の携帯用電子機器において、前記外部接続手段が、前記他の電子機器との間で無線通信可能な無線通信手段を有していることを特徴とするものである。
この発明に係る携帯用電子機器においては、無線通信手段を介して他の電子機器からＢｌｕｅｔｏｏｔｈ等の無線通信により曲等の音声情報を入手したり、記録することができる。
【００２０】
また、本発明の携帯用電子機器は、上記本発明のいずれかの携帯用電子機器において、前記外部接続手段が、メモリカードを接続可能なカード接続部を有していることを特徴とするものである。
この発明に係る携帯用電子機器においては、カード接続部にメモリカードを接続することで、他の電子機器から曲等の音声情報を入手したり、記録することができる。
【００２１】
また、本発明の携帯用電子機器は、上記本発明のいずれかの携帯用電子機器において、前記本体に、音声放送波を受信する電波受信部を備え、前記音声出力手段が、前記音声放送波に基づいて音声出力することを特徴とするものである。
この発明に係る携帯用電子機器においては、電波受信部により受信したラジオ電波等の音声放送波に基づいて、例えば、ＡＭラジオやＦＭラジオ等を聞くことができる。
【００２２】
また、本発明の携帯用電子機器は、上記本発明のいずれかの携帯用電子機器において、前記本体に、充電可能な充電池と、該充電池に電力を充電する充電手段とを有していることを特徴とするものである。
この発明に係る携帯用電子機器においては、充電手段を介して充電池に外部からの電力を充電できるので、通常の電池等を別個に用意する必要がない。従って、製品の維持に係るコストを低減することができる。
【発明の効果】
【００２３】
本発明に係る携帯用電子機器によれば、本体を腕に装着して、例えば、腕時計として使用することができると共に、バンド変形手段によりバンドを耳に引っ掛けて装着しヘッドセットとしても使用することができる。
【発明を実施するための最良の形態】
【００２４】
以下、本発明に係る携帯用電子機器の一実施形態を、図１から図１３を参照して説明する。なお、本実施形態の携帯用電子機器は、ヘッドセットの機能を有する電子腕時計として説明する。
本実施形態の携帯用電子機器１は、図１から図５に示すように、本体ケース（本体）２と、該本体ケース２に基端側が取り付けられて腕に装着可能なバンド３と、本体ケース２に対してバンド３の取付状態又はバンド３自体の形状の変形が可能なバンド変形手段４と、本体ケース２に設けられて音声を出力するスピーカ５を有する音声出力手段６とを備えている。上記バンド変形手段４は、耳の耳介に引っ掛けて保持可能な状態にバンド３を変形可能とされている。これについては、後に詳細に説明する。
【００２５】
上記本体ケース２は、プラスチックやアルミ等の金属材料からなり、所定の厚みをもって上面視略円状になるように形成されている。また、本体ケース２は、表面の中央部分に円状のカバーガラス１０が嵌め込まれており、該カバーガラス１０の内側に上記音声出力手段６の出力情報を表示する表示部１１が配されている。また、本体ケース２の裏面には、中央部分に複数の音孔１２が形成されている。また、本体ケース２内には、基板１５に実装されたＣＰＵやＭＰＵ等の制御部１６、上記スピーカ５、上記表示部１１、充電可能な充電池１７及び音声情報を記録するメモリ１８を内蔵している。
【００２６】
上記制御部１６は、メモリ１８に記録されている音声情報をスピーカ５から音声出力させる機能を有している。即ち、制御部１６及びスピーカ５は、上記音声出力手段６として機能するようになっている。スピーカ５は、上記音孔１２に隣接するように配されており、音孔１２を介して本体ケース２の裏面側に向けて音声出力するようになっている。つまり、スピーカ５は、上記バンド３を耳介に引っ掛けた状態で、耳の外耳道に対向する位置に配されている。
上記表示部１１は、例えば、ＬＣＤ（Liquid Crystal Display）等の液晶表示器であり、上述した音声出力手段６の出力情報以外に、例えば、図示しない水晶振動子によりカウントされた時刻を表示する時刻表示機能やその他各種情報を表示する機能を有している。例えば、図１に示すように、時刻、日付、曜日や充電池１７の残電力量等を表示できるようになっている。
【００２７】
更に、本体ケース２は、複数のボタン（スイッチ）、例えば、本体ケース２の表面に配された操作ボタン２０と、本体ケース２の側面に配された音量調整ボタン２１及びモード切替ボタン２２と、図示しないパーソナルコンピュータ等他の電子機器との間で、音声情報を受け渡す外部接続手段２３とを備えている。
上記各ボタンは、図５に示すように、押下したときに上記基板１５に電気的に接続されたスイッチ２４を介して制御部１６に信号を送り、各種操作ができるようになっている。例えば、図１に示す状態において、モード切替ボタン２２を押下することで、図６に示すように、音楽再生モードに変更するようになっている。また、この際に、各操作ボタン２０を押下することで、メモリ１８に記録されている曲等の音声情報の再生、一時停止、停止、巻き戻しや前後曲へのステップ等を行うことができるようになっている。即ち、音楽再生モードにおける操作ボタン２０は、音声出力手段６を制御するよう設定されている。更に、音楽再生モードの際に、音量調整ボタン２１を押下することで、スピーカ５から出力される音量を変更できるようになっている。なお、この際、表示部１１は、曲の再生時間、音量レベルや作動状況（再生中、一時停止中等）、曲名、曲番号等を表示するよう設定されている。
【００２８】
なお、音楽再生モードだけでなく、モード切替ボタン２２を押下する毎に、その他の各モード、例えば、ストップウォッチモードや、アラーム設定モード等に切り替えることができるように自由に設定して構わない。この場合には、各ボタンは、各モードに対応するように設定することが可能である。例えば、ストップウォッチモードの時に、各操作ボタン２０を、時間の測定開始ボタン、停止ボタンやラップ測定ボタン等として機能させることが可能である。つまり、各ボタンは、各モードに応じて複数の機能を有するように設定することが可能である。
また、音楽再生モードの際に、上記ボタンの１つを押下したときに、音声出力手段６が時刻を音声出力するよう設定されている。例えば、音量調整ボタン２１を長押ししたときに、スピーカ５から時刻が音声出力されるようになっている。この際、音楽を一旦停止して時刻を音声出力させても構わないし、音楽と同時に時刻を音声出力させても構わない。
【００２９】
上記外部接続手段２３は、図５に示すように、図示しないＵＳＢケーブル（通信用ケーブル）を接続可能なケーブル接続部２５を有している。これにより、他の電子機器からＵＳＢケーブル及びケーブル接続部２５を介して曲等の音声情報を入手することができるようになっている。また、入手した音楽情報は、上記メモリ１８内に記録できるようになっている。
なお、ケーブル接続部２５は、図１から図４に示すように、本体ケース２に設けられた脱着可能なカバー２６によってＵＳＢケーブルの未接続時に蓋をされて外部に露出しないようになっている。
更に、カバー２６内には、図示しない外部接続端子（充電手段）が配されており、図示しない充電器から上記充電池１７に電力を充電できるようになっている。この際、カバー２６にパッキン等を取り付けて、防水機能を有するように構成することが好ましい。こうすることで、外部接続端子を水滴等から保護することが可能である。なお、外部接続端子に限らず、充電器及び本体ケース２内にそれぞれ電力を伝達するためのトランス等を設け、非接触状態で充電池１７の充電を行うように構成しても構わない。
【００３０】
また、本体ケース２の裏面には、図３、４及び５に示すように、上記バンド３を耳介に引っ掛けたときに、耳介に接触する位置に弾性を有するパッド部材２７が設けられている
。つまり、パッド部材２７は、例えば、ウレタン等からなり音孔１２を囲む、即ち、スピーカ５を囲むように配されている。
【００３１】
上記バンド３は、図１から図４に示すように、第１のバンド部３ａ及び第２のバンド部３ｂから構成され、折曲変可能な弾性材料により断面略円状に形成された弾力性アームとなっている。第１バント部３ａ及び第２バンド部３ｂは、表示部１１に表示される情報の上下方向に向けてそれぞれ対向するように本体ケース２に基端側が取り付けられている。具体的な取り付けの構成については、後に詳細に説明する。また、第１バント部３ａ及び第２バンド部３ｂの一端側の表面には、シリコン等の滑止材３ｃがコーティングされている。
【００３２】
上記バンド変形手段４は、図７及び図８に示すように、本体ケース２に設けられてバンド３の基端側を挿入可能とされる挿入孔３０と、基端側を挿入孔３０の内部に向けて付勢する付勢手段３１と、挿入孔３０内に設けられて基端側の端面３ｄに離間接触可能な接触面３２ａを有する固定部材３２とを備えている。また、端面３ｄ及び接触面３２ａには、それぞれ接触した際に嵌合して回転方向の動きを規制する歯部（凹凸部）３ｅ、３２ｂが形成されている。
また、上記バンド３、即ち、第１バンド部３ａ及び第２バンド部３ｂは、それぞれ上記端面３ｄの中央から軸方向に突出した縮径部３５を有している。即ち、上記歯部３ｅは、端面３ｄ上において、縮径部３５を囲むように形成されていると共に、周方向に山と谷を順次繰り返すように形成されている。
【００３３】
上記縮径部３５は、先端面の中央位置に軸方向に向けてネジ孔３５ａが形成されている。該ネジ孔３５ａに、キャップネジ部材３６のネジ３６ａを螺合することによって、縮径部３５の先端に該キャップネジ部材３６を固定できるようになっている。なお、キャップネジ部材３６の外径は、縮径部３５より大きく、且つ、上記挿入孔３０の内径より若干小さくなるように形成されている。また、キャップネジ部材３６の外周面には、環状溝３６ｂが形成されており、該環状溝３６ｂに、挿入孔３０の内径に密着するパッキン（Ｏリング）３７が嵌合されてる。つまり、第１バンド部３ａ及び第２バンド部３ｂの基端側を挿入孔３０に対して進退させると、パッキン３７が挿入孔３０内に密接した状態を維持しながら進退するようになっている。
【００３４】
上記固定部材３２は、所定の厚さを有して環状に形成されると共に中心孔の内径が縮径部３５の外周面に当接するように形成され、挿入孔３０内に圧入固定されている。この際、固定部材３２は、挿入孔３０の略中間部に形成された当接部３０ａに当接することで、確実に位置決めがされるようになっている。また、固定部材３２の挿入孔３０内部に向かう端面と、上記該キャップネジ部材３６の端面との間には、スプリング３８が介在されており、常にキャップネジ部材３６を挿入孔３０の内部に向けて付勢するようになっている。これにより、第１バンド部３ａ及び第２バンド部３ｂの基端側を挿入孔３０の内部に向けて付勢するようになっている。即ち、これら固定部材３２、キャップネジ部材３６及びスプリング３８は、上記付勢手段３１として機能するようになっている。
また、固定部材３２の挿入孔３０外部に向かう端面は上記接触面３２ａとされ、該接触面３２ａに上記歯部３２ｂが形成されている。この歯部３２ｂは、上記歯部３ｅと同様に縮径部３５の軸線に対して周方向に向けて山と谷を順次繰り返すように形成されている。
なお、歯部３ｅ、３２ｂは、山と谷を例えば、縮径部３５の軸線回りに、例えば、１０度の角度毎に繰り返すように形成されている。なお、１０度に限られるものではない。
【００３５】
このように構成された携帯用電子機器１を使用する場合について、以下に説明する。
なお、バンド３の初期状態は、表示部１１を正面から見たときに、図１に示すように、一端側が本体ケース２の真下に位置する状態になっているとして説明する。
まず、本実施形態の携帯用電子機器１は、通常時において、電子腕時計として使用することが可能である。即ち、第１バンド部３ａ及び第２バンド部３ｂをそれぞれ外側に広げるように引張った状態で腕（手首）に装着する。装着後、第１バンド部３ａ及び第２バンド部３ｂは、弾性の性質により腕を締め付けるので、図９に示すように、がたつくことなく確実に腕に装着する。特に、第１バンド部３ａ及び第２バンド部３ｂの一端側には、滑止材３ｃがコーティングされているので、確実に腕に装着する。
【００３６】
次に、ヘッドセットとして使用する場合には、一旦携帯用電子機器１を腕から取り外し、図１０に示すように、バンド３の取付状態を変更する。即ち、図６に示されるように、まず、第１バンド部３ａ及び第２バンド部３ｂの基端側を挿入孔３０の外部に向けて引っ張る。この際、スプリング３８のスプリング力に抗する力で基端側を引っ張る。これにより、第１バンド部３ａ及び第２バンド部３ｂが、挿入孔３０の外部に向けて移動する。即ち、基端側の端面３ｄが固定部材３２の接触面３２ａから離間する。この状態において、第１バンド部３ａ及び第２バンド部３ｂを挿入孔３０の軸回りに所定角度回転させる。所定角度回転後、第１バンド部３ａ及び第２バンド部３ｂの引張り状態を解くと、付勢手段３１が基端側を挿入孔３０の内部に向けて付勢する。これにより、端面３ｄと接触面３２ａとが再度接触すると共に、歯部３ｅ、３２ｂが互いに嵌合する。従って、バンド３は、取付角度（取付状態）が変更されると共に、変更後の角度で保持された状態となる。
【００３７】
バンド変形手段４により、バンド３の取付状態を変更後、モード切替ボタン２２を押下して時計モードから音楽再生モードに変更する。この際、表示部１１の表示が切り替わるので、音楽再生モードが適切に選択されたことを容易に確認することができる。モード変更後、図１１から図１３に示すように、本体ケース２の裏面側を耳介に接触するように、バンド３を耳の耳介に引っ掛けて耳介に装着する。この際、耳介の角度に応じて、第１バンド部３ａ及び第２バンド部３ｂの取付状態を、それぞれバンド変形手段４により変えて微調整すると良い。また、バンド３は、折曲変形可能な材料により形成されているので、より細かな微調整が可能である。これらの微調整により、がたつくことなく、確実にバンド３を耳介に引っ掛けて装着することができる。なお、この状態は、スピーカ５が外耳道に対して対向配置している状態である。
また、装着時において、本体ケース２の裏面には、パッド部材２７が配されているので、該パッド部材２７がクッションとなり、耳介と本体ケース２との干渉を和らげる。従って、装着感が向上すると共に耳を保護する。
【００３８】
耳への装着後、操作ボタン２０を押下して、メモリ１８に記録されている音声情報、例えば、曲を再生することで、ヘッドセットとして使用することができる。特に、パッド部材２７は、スピーカ５を囲むように配されているので、音孔１２から音声出力された音は、外部に漏れ難く、効率良く外耳道に伝達する。従って、雑音等を抑えた状態で音楽を聴くことができる。また、音楽を聞いている際、各操作ボタン２０を操作することで、曲の早送り、巻き戻し又は曲変更等を自由に行うことができると共に、音量調整ボタン２１を押下することで、音量を自由に調整することができる。
また、音楽を聞いている際、音量調整ボタン２１を長押しすることで、時刻をスピーカ５を介して容易に聞くことができる。
【００３９】
次に、メモリ１８に記録されている音楽等の音声情報を変更する場合には、カバー２６を取り外し、パーソナルコンピュータ等の他の電子機器に接続されているＵＳＢケーブルを、ケーブル接続部２５に接続する。これにより、他の電子機器から新たな曲等の音楽情報をメモリ１８に記録することが可能である。また、記録だけでなく、既にメモリ１８に記録されている音楽情報を削除することも可能である。
また、充電池１７に電力を充電する場合には、充電器からの充電コード等をカバー２６内の外部接続端子に接続することで充電を行うことができ、通常の電池を別個に用意する必要はない。従って、維持経費の削減を図ることができる。
なお、音楽を聴いている際に、充電池１７の残電力が“０“に近くなるまで減少した場合には、これを知らせるために、音声出力手段６が、アラーム音を音声出力して知らせるように設定しても構わない。
【００４０】
上述したように、本実施形態の携帯用電子機器１によれば、バンド変形手段４によりバンド３の取付状態を変更することで、腕に装着して電子腕時計として機能させたり、耳に装着してヘッドセットとして機能させることができる。特に、ヘッドセットとして使用しないときは、電子腕時計として腕に装着できるので、煩わしさを感じることはない。また、従来のヘッドセットのようにバック等に入れて持ち運ぶ必要もない。
【００４１】
なお、本発明の技術範囲は上記実施の形態に限定されるものではなく、本発明の趣旨を逸脱しない範囲において種々の変更を加えることが可能である。
例えば、上記実施形態においては、携帯用電子機器をヘッドセットの機能を有する電子腕時計として説明したが、これに限られるものではなく、腕に装着可能な電子機器であれば構わない。また、本体ケースの形状を上面視略円状としたが、これに限らず、長方形や三角形等の多角形状でも構わないし、楕円等の流線形状でも構わない。また、バンドを第１バンド部及び第２バンド部からなる分割タイプとしたが、分割タイプに限らず、リング状のように一体成型したものでも良い。
【００４２】
更に、ボタンの個数や位置等は、任意に設定しても良く、表示部の位置等も同様に任意に設定して構わない。また、ボタンの設定（制御部の制御方法）も自由に設定することが可能である。
特に、上記実施形態では、モード切替ボタンを押下したときに、音楽再生モードに変更するように設定したが、例えば、バンドを耳介に引っ掛けるように変形させたときに、バンド変形手段が音声出力手段を音声出力可能な状態にするよう設定しても構わない。つまり、バンド変形手段にスイッチ的な機能を持たせても構わない。こうすることで、ヘッドセットとして使用するために、バンドを変形させるだけで、音楽再生モードに変更可能であるので、その他ボタン等による別個操作を行う必要がない。従って、すぐにヘッドセットとして機能させることができ、機能性が向上する。
【００４３】
また、耳介に装着するときに、バンド変形手段によりバンドの基端側の角度を変更してバンドの取付状態を変更したが、これに限られるものでなく、バンドの取付状態又はバンド自体の形状の変形を行って、耳介に装着できれば構わない。例えば、バンドの基端側近傍で、バンド自体が変形して角度が変更するような構成にしても構わない。
【００４４】
また、上記実施形態において、外部接続手段は、ケーブル接続部に接続したＵＳＢケーブルを介して他の電子機器から音楽等の音声情報を入手したが、ＵＳＢケーブルに限られるものではない。例えば、外部接続手段が、メモリカードを接続可能なカード接続手段を有するように構成しても構わない。こうすることで、メモリカードを介して音声情報の入手や記録等が行える。また、外部接続手段が、他の電子機器との間で無線通信可能な無線通信手段を有するように構成しても構わない。こうすることで、例えば、Ｂｌｕｅｔｏｏｔｈ等の無線通信により音声情報の入手や記録等が行える。更には、本体ケースにラジオ電波等の音声放送波を受信可能な電波受信部を備えても良い。こうすることで、例えば、ＡＭラジオやＦＭラジオ等の音声放送波も聞くことが可能である。
【００４５】
更に、上記実施形態では、片側の耳で音声情報を聞いたが、例えば、コードを介して音声出力手段に電気的に接続されたイヤホンを備えても良い。こうすることで、両側の耳で音声情報を聞くことができる。この際、音声出力手段が、スピーカ及びイヤホンから発生させる出力音をそれぞれ調整するステレオ音量調整部を有するように構成することが好ましい。こうすることで、スピーカ及びイヤホンを介してステレオ状態で音声情報を聞くことができる。なお、本体ケース内にコードを巻き取るリール等を設けると良い。こうすることで、イヤホンを使用しない場合には、コードを本体内に収納可能であるので、コードの持ち運びが不要となる。
【図面の簡単な説明】
【００４６】
【図１】本発明に係る携帯用電子機器の外観図の一実施形態を示す斜視図である。
【図２】図１に示す携帯用電子機器の外観図を示す上面図である。
【図３】図１に示す携帯用電子機器の外観図を示す側面図である。
【図４】図１に示す携帯用電子機器の外観図を示す背面図である。
【図５】図１に示す携帯用電子機器の断面矢視Ａ−Ａ図である。
【図６】音楽再生モード時に表示部が表示する一例を示した図である。
【図７】バンド変形手段の構成を示す断面図である。
【図８】図７に示すバンド変形手段の構成を示す斜視図である。
【図９】図１に示す携帯用電子機器を腕（手首）に装着した状態を示す斜視図である。
【図１０】バンド変形手段により、バンドの取付状態を耳介に引っ掛けるよう変更した状態を示す側面図である。
【図１１】図１に示す携帯用電子機器を耳介に装着した状態を示す斜視図である。
【図１２】図１１に示す状態を上方から見た状態を示した図である。
【図１３】図１１に示す状態を側面から見た状態を示した図である。
【符号の説明】
【００４７】
１  携帯用電子機器
２  本体ケース（本体）
３  バンド
３ｄ  端面
４  バンド変形手段
５  スピーカ
６  音声出力手段
１１  表示部
１７  充電池
１８  メモリ
２０  操作ボタン（スイッチ）
２１  音量調整ボタン（スイッチ）  
２２  モード切替ボタン（スイッチ）
２３  外部接続手段
２５  ケーブル接続部
２７  パッド部材
３０  挿入孔
３１  付勢手段
３２    固定部材
３２ａ  接触面
３ｅ、３２ｂ  歯部（凹凸部）
【図１】
2005191766.tif 000003
【図２】
2005191766.tif 000004
【図３】
2005191766.tif 000005
【図４】
2005191766.tif 000006
【図５】
2005191766.tif 000007
【図６】
2005191766.tif 000008
【図７】
2005191766.tif 000009
【図８】
2005191766.tif 000010
【図９】
2005191766.tif 000011
【図１０】
2005191766.tif 000012
【図１１】
2005191766.tif 000013
【図１２】
2005191766.tif 000014
【図１３】
2005191766.tif 000015